(57)【要約】【課題】照明装置からの出射光の出射方向をより確実に規制する。【解決手段】光出射面３６を有する導光板３３と、光出射面３６を覆うプリズムシート５０であって、複数のプリズム部５２と、プリズム部５２における斜面５５を覆う第１光反射部５３と、第１光反射部５３を光出射面３６とは反対側から覆うと共に第１光反射部５３よりも光反射率が低い第２光反射部５７と、を有するプリズムシート５０と、を備えることに特徴を有する。【選択図】図１
2019125544.tif 000002
【特許請求の範囲】
【請求項１】
光出射面を有する光源と、
前記光出射面を覆うプリズムシートであって、複数のプリズム部と、前記プリズム部における前記光出射面とは反対側の面の一部を覆う第１光反射部と、前記第１光反射部を前記光出射面とは反対側から覆うと共に前記第１光反射部よりも光反射率が低い第２光反射部と、を有するプリズムシートと、を備える照明装置。
【請求項２】
前記プリズム部は、一対の斜面を有する三角柱状をなし、
前記第１光反射部は、
前記一対の斜面のうち一方の斜面を覆う構成である請求項１に記載の照明装置。
【請求項３】
請求項１又は請求項２に記載の照明装置と、
前記照明装置からの光を利用して画像を表示する表示パネルと、を備える表示装置。
【請求項４】
前記表示パネルの前記照明装置側の面には、光反射防止層又は防眩層が配されている請求項３に記載の表示装置。
【請求項５】
前記表示パネルは、液晶パネルとされ、
前記液晶パネルは、
対向配置される一対の基板と、
前記一対の基板の間に介在される液晶層と、
前記一対の基板のうち、前記照明装置側に配される基板を前記照明装置側から覆う円偏光板と、を備える請求項３又は請求項４に記載の表示装置。
【発明の詳細な説明】
【技術分野】
【０００１】
本発明は、照明装置及び表示装置に関する。
【背景技術】
【０００２】
従来、照明装置として、光学フィルムを介して出射光を表示パネルに向かわせる構成のものが知られている。下記特許文献１では、プリズムを有する光学フィルムが記載され、プリズムによって照明装置からの出射光の出射方向が規制される構成となっている。これにより、出射方向を規制することで、フロントガラスからの望ましくない反射を防止することができる。
【先行技術文献】
【特許文献】
【０００３】
【特許文献１】特開２００７−１６４１９３号公報
【発明の概要】
【発明が解決しようとする課題】
【０００４】
上記構成では、光学フィルムを透過した光が照射対象である表示パネルに照射される。このような場合、表示パネルに照射された光が表示パネルの表面や表示パネルの内部において照明装置側に反射され、その反射光が光学フィルムによって再度反射されて照明装置から照射対象側に出射される場合がある。このような光は、プリズムによる出射方向の規制がされず、所望の出射方向以外の方向に出射される可能性がある。
【０００５】
本発明は上記のような事情に基づいて完成されたものであって、照明装置からの出射光の出射方向をより確実に規制することを目的とする。
【課題を解決するための手段】
【０００６】
上記課題を解決するために、本発明は、光出射面を有する光源と、前記光出射面を覆うプリズムシートであって、複数のプリズム部と、前記プリズム部における前記光出射面とは反対側の面の一部を覆う第１光反射部と、前記第１光反射部を前記光出射面とは反対側から覆うと共に前記第１光反射部よりも光反射率が低い第２光反射部と、を有するプリズムシートと、を備えることに特徴を有する。
【０００７】
上記構成において、光源の光出射面から出射された光は、プリズムシートに向かう。プリズムシートが第１光反射部を備えることで、プリズム部から第１光反射部に向かう方向への光の出射を規制することができる。上記構成のようにプリズム部に光反射部を設ける構成では、照明装置からの出射光が照射対象によってプリズムシート側に反射された場合、その反射光は、当該光反射部によって照射対象側に反射される。このような光は、光反射部によって規制したい方向（プリズム部から光反射部に向かう方向）に向かう可能性があり、低減させることが好ましい。上記構成では光の出射方向を規制するための第１光反射部と、その第１光反射部を光源とは反対側から覆う第２光反射部を備える。このため、照射対象によってプリズムシート側に反射された反射光は、第１光反射部ではなく、第２光反射部によって照明対象側に反射される。第２光反射部は、第１光反射部よりも光反射率が低いことから、第２光反射部を備えていない構成（言い換えると第１光反射部に光が反射する構成）と比べて、照射対象側に反射する反射光を低減することができる。この結果、第１光反射部によって規制したい方向に向かう出射光を低減でき、照明装置から出射される出射光について、出射方向の規制をより確実に行うことができる。
【発明の効果】
【０００８】
本発明によれば、照明装置からの出射光の出射方向をより確実に規制することができる。
【図面の簡単な説明】
【０００９】
【図１】本発明の実施形態１に係る液晶表示装置の概略構成を示す断面図
【図２】液晶表示装置を構成するバックライト装置の概略構成を示す分解斜視図
【図３】実施形態１における輝度角度分布を示す図
【図４】実施形態１における輝度角度分布を示すグラフ
【図５】図４のグラフの一部を拡大して示すグラフ
【図６】実施形態２に係る液晶表示装置の概略構成を示す断面図
【図７】実施形態２における輝度角度分布を示すグラフ
【図８】図７のグラフの一部を拡大して示すグラフ
【発明を実施するための形態】
【００１０】
＜実施形態１＞
本発明の実施形態１を図１から図５によって説明する。本実施形態では、表示装置として液晶表示装置１０を例示する。液晶表示装置１０は、平面視において長方形状をなしており、図１に示すように、液晶パネル２０（表示パネル）と、液晶パネル２０の裏側（図１の下側）に配されて液晶パネル２０に向けて光を照射するバックライト装置３０（照明装置）と、を備える。液晶パネル２０は、平面視において長方形状をなしており、バックライト装置３０からの光を利用して画像を表示することが可能となっている。液晶パネル２０は、透光性を有するガラス製の一対の基板２１，２２と、両基板２１，２２間に介在され、電界印加に伴って光学特性が変化する物質である液晶分子を含む液晶層２３と、を備える。
【００１１】
対向配置される一対の基板２１，２２のうち表側がＣＦ基板２１とされ、裏側がアレイ基板２２とされる。アレイ基板２２における内面側には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。各配線には、図示しない制御回路から所定の画像信号が供給されるようになっている。ＣＦ基板２１には、各画素に対応した位置に多数個のカラーフィルタが並んで設けられている。カラーフィルタは、Ｒ，Ｇ，Ｂの三色が交互に並ぶ配置とされる。カラーフィルタの内面には、アレイ基板２２側の画素電極と対向する共通電極が設けられている。なお、共通電極がアレイ基板２２に設けられていてもよい。また、両基板２１，２２の内面側には、液晶層に含まれる液晶分子を配向させるための配向膜がそれぞれ形成されており、両基板２１，２２の外面側には、それぞれ偏光板２４，２５が貼り付けられている。バックライト装置３０に近い側の偏光板２５は、アレイ基板２２（一対の基板のうち照明装置側に配される基板）をバックライト装置３０側から覆う形で配されている。偏光板２５は、例えば、円偏光板とされる。円偏光板は、直線偏光板及びλ／４位相差板によって構成されている。
【００１２】
バックライト装置３０は、図２に示すように、全体として平面視において長方形の略ブロック状をなしている。バックライト装置３０は、点状光源である複数のＬＥＤ３１（Light Emitting Diode：発光ダイオード）と、ＬＥＤ３１が実装されたＬＥＤ基板３２と、ＬＥＤ３１からの光を導光する導光板３３と、導光板３３からの光を反射する光反射シート３４と、光学シート３７，３８と、プリズムシート５０（集光シート）と、を備える。バックライト装置３０は、その外周部分のうち長辺を構成する一端部にＬＥＤ３１が配された片側入光方式のエッジライト型（サイドライト型）とされる。ＬＥＤ基板３２は、Ｙ軸方向（導光板３３の短辺方向）に沿って延在する板状をなしている。ＬＥＤ３１は、ＬＥＤ基板３２に固着される基板部上にＬＥＤチップを樹脂材により封止した構成とされる。ＬＥＤ３１は、ＬＥＤ基板３２の長さ方向（Ｙ軸方向）に沿って複数が所定の間隔を空けつつ一列に並んで配置されている。
【００１３】
導光板３３は、屈折率が空気よりも十分に高く且つほぼ透明で透光性に優れた合成樹脂材料（例えばＰＭＭＡなどのアクリル樹脂など）からなる。導光板３３は、図２に示すように、平面視において長方形状をなす平板状とされている。導光板３３は、その短辺方向がＸ軸方向と、長辺方向がＹ軸方向とそれぞれ一致し、板面と直交する板厚方向がＺ軸方向と一致している。導光板３３における一方の長辺を構成する端面（光入射面３５）はＬＥＤ３１と対向配置されている。導光板３３において、表側の板面は、導光板３３内部の光を液晶パネル２０に向けて出射させる光出射面３６となっている（図１参照）。導光板３３の光入射面３５に対してＬＥＤ３１から導光板３３内に入射された光は、導光板３３内部を伝播しつつ、光出射面３６から出射される。つまり、複数のＬＥＤ３１及び導光板３３は、光出射面３６を有する面状光源（光源）を構成するものとされる。また、光反射シート３４は、導光板３３において裏側の板面を覆う形で配されている。これにより、導光板３３から裏側に向かう光は、光反射シート３４によって表側に反射される。
【００１４】
光学シート３７は、光出射面３６を表側から覆う形で配されており、光学シート３８は、光学シート３７を表側から覆う形で配されている。光学シート３７としては、光拡散シートを例示することができ、光学シート３８としては、レンズシートを例示することができる。なお、光学シート３７,３８は上述したシートに限定されない。例えば、光学シート３８として反射型偏光板を用いてもよい。このような反射型偏光板の一例として、住友スリーエム株式会社製の商品名「ＤＢＥＦ（登録商標）」などを挙げることができる。また、導光板３３とプリズムシート５０との間に１枚又は３枚以上の光学シートが介在されていてもよい。
【００１５】
プリズムシート５０は、光学シート３８（ひいては光出射面３６）を表側（光源とは反対側）から覆う形で配されており、光出射面３６からの光をＸ軸方向について集光させることで正面輝度を向上させる機能を有している。プリズムシート５０は、図１に示すように、シート状をなすシート基材５１と、シート基材５１の表側に形成される複数のプリズム部５２（単位集光部）と、プリズム部５２における光学シート３７とは反対側の面の一部を覆う第１光反射部５３と、第１光反射部５３を覆う第２光反射部５７と、を備える。シート基材５１及びプリズム部５２は、例えば、ポリカーボネイト等の透明な合成樹脂を押出成形することで構成されており、同じ材質で一体的に設けられている。なお、シート基材５１とプリズム部５２とが異なる材質であってもよく、例えば、シート基材５１をポリカーボネイトなどの熱可塑性樹脂材料とし、プリズム部５２を紫外線硬化性樹脂材料としてもよい。
【００１６】
プリズム部５２は、シート基材５１の表面から表側（出光側）に向けて突出する形で設けられている。プリズム部５２は、Ｙ軸方向に沿って直線的に延在されており、Ｘ軸方向に沿って複数本配列されている。つまり、複数のプリズム部５２の配列方向は、ＬＥＤ３１と導光板３３の並び方向に沿うものとされる。プリズム部５２は、断面視において二等辺三角形となる三角柱状をなしており、一対の斜面５４，５５を有している。一対の斜面５４，５５は、プリズム部５２における液晶パネル２０側の面とされる。第１光反射部５３は、斜面５５（一対の斜面のうち一方の斜面）を覆う形で設けられている。この斜面５５は、一対の斜面５４，５５のうちＬＥＤ３１に対して遠い側に配される斜面である。なお、プリズム部５２の頂角（一対の斜面５４，５５のなす角度）は、例えば９０度とされ、プリズム部５２のＸ軸方向における長さは、例えば５０μｍとされ、プリズムシート５０の厚さ（シート基材５１及びプリズム部５２の厚さ）は、例えば、１５５μｍとされるが、これらの数値は一例であり、この数値に限定されない。
【００１７】
第１光反射部５３は、薄膜状をなし、例えば光反射性に優れたアルミニウム等を斜面５５に斜方蒸着することで形成されている。第２光反射部５７は、薄膜状をなし、例えば、第１光反射部５３を覆う形で、クロム等を斜方蒸着することで形成されている。第１光反射部５３の光反射率は例えば約８８％とされる。第２光反射部５７の光反射率は例えば約５５％とされる。つまり、第２光反射部５７の光反射率は、第１光反射部５３の光反射率よりも低い値で設定されている。なお、第１光反射部５３及び第２光反射部５７の材質は、上述したものに限定されず適宜変更可能である。なお、第１光反射部５３の膜厚は、例えば３０ｎｍ〜１μｍで設定することが好ましい。第１光反射部５３の膜厚が３０ｎｍ以下であると光反射率が低下し、１μｍ以上であるとプリズムシート５０の光学性能に影響を及ぼすためである。また、第２光反射部５７の膜厚は、例えば２０ｎｍ〜１μｍで設定することが好ましい。第２光反射部５７の膜厚が２０ｎｍ以下であると光吸収率が低下し、１μｍ以上であるとプリズムシート５０の光学性能に影響を及ぼすためである。
【００１８】
次に本実施形態の効果について説明する。本実施形態において、導光板３３の光出射面３６から出射された光は、プリズムシート５０に向かう。プリズムシート５０が第１光反射部５３を備えることで、プリズム部５２から第１光反射部５３に向かう光を導光板３３側や斜面５４側に反射させることができる。これにより、プリズム部５２から第１光反射部５３に向かう方向への光の出射を規制することができる。上記構成のようにプリズム部５２に光反射部を設ける構成では、バックライト装置３０からの出射光が液晶パネル２０（照射対象）によってバックライト装置３０側に反射された場合、その反射光は、当該光反射部によって液晶パネル２０側に反射される。このような光は、光反射部によって規制したい方向（プリズム部５２から光反射部に向かう方向、例えば図１の矢線Ｌ１）に向かう可能性があり、低減させることが好ましい。上記構成では光の出射方向を規制するための第１光反射部５３と、その第１光反射部５３を導光板３３とは反対側から覆う第２光反射部５７を備える。このため、液晶パネル２０によってバックライト装置３０側に反射された反射光は、第１光反射部５３ではなく、第２光反射部５７によってバックライト装置３０側に反射される。第２光反射部５７は、第１光反射部５３よりも光反射率が低いことから、第２光反射部５７を備えていない構成（言い換えると第１光反射部５３に光が反射する構成）と比べて、バックライト装置３０側に反射する反射光を低減することができる。この結果、第１光反射部５３によって規制したい方向に向かう出射光を低減でき、バックライト装置３０から出射される出射光について、出射方向の規制をより確実に行うことができる。
【００１９】
本実施形態について、バックライト装置からの出射光の輝度を測定した測定結果を図３から図５に示す。図３は、出射光について、正面方向（Ｚ軸方向、バックライト装置を正面から視た状態に対応）を基準とした輝度角度分布を示す図である。図３において、横軸はＸ軸方向についての出射角（正面方向を基準としてＸ軸に向かう角度）となっており、縦軸はＹ軸方向についての出射角（正面方向を基準としてＹ軸に向かう角度）となっている。図３においては、輝度の高低をハッチング模様の密度で示しており、ハッチングの密度が低い部分（明るい部分）程、輝度が高く、ハッチングの密度が高い部分（暗い部分）程、輝度が低いことを示している。
【００２０】
また、図４は、Ｘ軸方向についての出射角（横軸）と輝度（縦軸）の関係を示すグラフであり、図５は、図４のグラフにおいて出射角３０°〜９０°の範囲を拡大して示すグラフである。なお、図３から図５の左側がＬＥＤ３１側であり、右側がＬＥＤ３１から遠い側である。また、図４及び図５の実線が本実施形態の輝度であり、一点鎖線が第２光反射部５７を備えていない比較例の輝度である。本実施形態では、図４及び図５に示すように、比較例に比べてプリズム部５２において第１光反射部５３が配された側に向かう出射光の輝度が低下している（図５の出射角５５°〜９０°参照）。これにより本実施形態では、第２光反射部５７を備えることで出射方向の規制がより確実に行われていることが分かる。なお、比較例（第１光反射部５３のみが形成された場合）では、正面輝度が約１６００ｎｔ、出射角６０°〜７０°での輝度が約１２０ｎｔで、正面輝度比が７．５％であるのに対し、本実施形態（第１光反射部５３及び第２光反射部５７が積層して形成された場合）では、正面輝度が約１２００ｎｔ、出射角６０°〜７０°での輝度が約６０ｎｔで、正面輝度比が５．０％となっている。
【００２１】
また、プリズム部５２は、一対の斜面５４，５５を有する三角柱状をなし、第１光反射部５３は、一対の斜面５４，５５のうち一方の斜面５５を覆う構成とされる。これにより、斜面５５から光が出射する事態を防止すると共に斜面５４からの出射光を増やすことができる。
【００２２】
また、液晶パネル２０は、対向配置される一対の基板２１，２２と、一対の基板２１，２２の間に介在される液晶層２３と、一対の基板２１，２２のうち、バックライト装置３０側に配される基板２２をバックライト装置３０側から覆う偏光板２５（円偏光板）と、を備える。液晶パネル２０内部に入射した光が液晶パネル２０内部の反射によってプリズムシート５０側に反射されると、その反射光がプリズム部５２の第２光反射部５７によって液晶パネル２０側に反射され、第１光反射部５３で規制したい方向への出射光となる可能性がある。偏光板２５を円偏光板とすることで、液晶パネル２０内部に入射した光がバックライト装置３０側に反射する事態を抑制することができるため、このような事態を抑制できる。なお、偏光板２５（円偏光板）は、バックライト装置３０側から直線偏光板及びλ／４位相差板の順番で積層されることで構成されている。このようにすれば、バックライト装置３０からの出射光は、液晶パネル２０に入射する際に、直線偏光板を通過することで直線偏光となり、その後、λ／４位相差板を通過することで円偏光となる。このような円偏光が液晶パネル２０内部で反射された場合、その反射光は、入射光と逆回りの円偏光になる。この反射光は、再度λ／４位相差板を通過することで入射時と直交した直線偏光となり、その後直線偏光板で吸収される。このため、液晶パネル２０に入射した光がバックライト装置３０側に反射される事態を抑制することができる。
【００２３】
また、光学シート３８として反射型偏光板を用いる場合には、複数のプリズム部５２の配列方向は、反射型偏光板を透過する直線偏光の偏光軸と一致（又は直交）させることが好ましい。このようにすれば、反射型偏光板からプリズム部５２に向かう光をプリズム部５２（及び第１光反射部５３）の入射面に対してＰ偏光（又はＳ偏光）とすることができ、プリズム部５２によって屈折又は反射した際（及び第１光反射部５３で反射した際）に光の偏光状態が変化する事態を抑制することができる。反射型偏光板を透過した光の偏光状態が変わってしまうと、液晶パネル２０の偏光板２５を透過できる光が減少し、光の利用効率が低下してしまう。このため反射型偏光板を透過した直線偏光の偏光状態を維持しつつ、出射させることで、光の利用効率をより高くすることができる。なお、ここで言う光の偏光状態の変化とは、偏光軸の回転や複屈折に起因した位相差の発生などを意味する。
【００２４】
＜実施形態２＞
次に、本発明の実施形態２を図６から図８によって説明する。上記実施形態と同一部分には、同一符号を付して重複する説明を省略する。本実施形態の液晶パネル２２０では、バックライト装置３０側の面（偏光板２５の裏面）に、光反射防止層２２６が配されている。光反射防止層２２６としては、例えばＡＲコート層を用いることができる。具体的には、ＡＲコート層（Anti-Reflection Coating）は、フッ化マグネシウムなどの低屈折率材料からなる薄膜であり、その膜厚を可視光線の１／４波長とすることで、ＡＲコート層の表面での反射光と、ＡＲコート層を透過して奥で反射した光とが、１／２波長ずれた逆相となって、互いに打ち消しあうことで、反射光の低減を図ることができるようになっている。
【００２５】
本実施形態において、液晶パネル２２０のバックライト装置３０側の面によってプリズムシート５０側に反射された光がプリズム部５２の第２光反射部５７によって液晶パネル２２０側に反射されると、第１光反射部５３によって出射を規制したい方向への出射光が生じる可能性がある。液晶パネル２２０のバックライト装置３０側の面に光反射防止層２２６を配することで、このような事態を抑制できる。図７は、本実施形態のバックライト装置３０についてＸ軸方向についての出射角（横軸）と輝度（縦軸）の関係を示すグラフである。図８は、図７のグラフにおいて出射角３０°〜９０°の範囲を拡大して示すグラフである。図７及び図８の実線が実施形態２の輝度であり、一点鎖線が実施形態１の輝度である。本実施形態では、図７及び図８に示すように、実施形態１に比べてプリズム部５２において第１光反射部５３が配された側（右側）に向かう出射光の輝度が低下している（図８の出射角５５°〜９０°参照）。これにより本実施形態では、光反射防止層２２６を備えることで第１光反射部５３による出射方向の規制がより確実に行われていることが分かる。なお、図７に示すように、本実施形態では、正面輝度が約１２００ｎｔ、出射角６０°〜７０°での輝度が約４０ｎｔで、正面輝度比が３.３％となっている。
【００２６】
また、本実施形態において光反射防止層２２６の代わりに防眩層を備えていてもよい。このような防眩層は、例えば、微細な凹凸を有しており、反射光を散乱させる機能を有している。これにより、第２光反射部５７における液晶パネル２２０側への反射光が特定の方向に向かう事態を抑制でき、第１光反射部５３によって出射を規制したい方向への出射光が生じる事態を抑制できる。なお、液晶パネル２２０のバックライト装置３０側の面に光反射防止層２２６と防眩層とが積層されていてもよい。また、液晶パネル２２０の偏光板２４の裏面（バックライト装置３０側の面）に光反射防止層又は防眩層が配されていてもよいし、偏光板２４の裏面（バックライト装置３０側の面）に光反射防止層及び防眩層の双方が配されていてもよい。
【００２７】
＜他の実施形態＞
本発明は上記記述及び図面によって説明した実施形態に限定されるものではなく、例えば次のような実施形態も本発明の技術的範囲に含まれる。
（１）上記実施形態では、光源としてＬＥＤと導光板とを備えるものを例示したが、これに限定されない。例えば、本発明は、光源として複数のＬＥＤのみを備える直下型のバックライト装置に対して適用してもよい。
（２）上記実施形態では、プリズム部５２の一対の斜面５４，５５のうちＬＥＤ３１に対して遠い側に配される斜面５５に第１光反射部５３及び第２光反射部５７を設ける構成としたが、これに限定されない。第１光反射部５３及び第２光反射部５７は、プリズム部５２の少なくとも一部に設けられていればよい。例えば、斜面５４（ＬＥＤ３１に対して近い側に配される斜面）に第１光反射部５３及び第２光反射部５７を設ける構成としてもよい。また、複数のプリズム部５２の配列方向は、ＬＥＤ３１と導光板３３の並び方向（Ｘ軸方向）に直交する方向（Ｙ軸方向）に沿うものとしてもよい。また、ＬＥＤ３１は導光板３３の複数の辺に配置されていてもよい。
（３）プリズムシート５０と導光板３３の間に、Ｙ軸方向（プリズム部５２の配列方向と直交する方向）に配列された複数のプリズム部を有する他のプリズムシートが介在されていてもよい。また、第１光反射部５３及び第２光反射部５７が設けられるプリズム部がＹ軸方向に複数配列されていてもよい。
【符号の説明】
【００２８】
１０…液晶表示装置（表示装置）、２０，２２０…液晶パネル（表示パネル）、２１…ＣＦ基板（一対の基板を構成）、２２…アレイ基板（一対の基板のうち照明装置側に配される基板）、２３…液晶層、２５…偏光板（円偏光板）、３０…バックライト装置（照明装置）、３１…ＬＥＤ（光源を構成）、３３…導光板（光源を構成）、３６…光出射面、５０…プリズムシート、５２…プリズム部、５３…第１光反射部、５４…斜面（一対の斜面を構成）、５５…斜面（プリズム部における光出射面とは反対側の面の一部、一対の斜面のうち一方の斜面）、５７…第２光反射部、２２６…光反射防止層
【図１】
2019125544.tif 000003
【図２】
2019125544.tif 000004
【図３】
2019125544.tif 000005
【図４】
2019125544.tif 000006
【図５】
2019125544.tif 000007
【図６】
2019125544.tif 000008
【図７】
2019125544.tif 000009
【図８】
2019125544.tif 000010